(57)【要約】      （修正有）【課題】医用画像保管装置において、医用画像データの登録や、記憶された医用画像データの参照の速度を向上させる。【解決手段】医用画像保管装置１２は、マスタ記憶装置１３１ｍ及びスレーブ記憶装置１３１ｓに対して医用画像データの多重記憶処理を実行し、医用画像データの特定情報と、多重記憶処理が完了したか否かを示す多重記憶完了情報とを対応付けて検査管理ＤＢ４８に記憶し、ビューア１５から所要の特定情報に関する医用画像データの記憶位置情報の要求を受け付け、検査管理データを参照し、所要の特定情報に関する医用画像データの多重記憶処理が完了しているか否かを判断し、所要の特定情報に関する医用画像データの多重記憶処理が完了していると判断される場合、スレーブ記憶装置１３１ｓの位置情報を記憶位置情報として決定し、決定された記憶位置情報を供給する。【選択図】図７
2014219882.tif 000002
【特許請求の範囲】
【請求項１】
マスタ記憶装置及びスレーブ記憶装置に対して医用画像データの多重記憶処理を実行する記憶実行手段と、
前記医用画像データの特定情報と、前記スレーブ記憶装置への前記多重記憶処理が完了したか否かを示す多重記憶完了情報とを対応付ける検査管理データを記憶する記憶装置と、
外部装置から、所要の特定情報に関する医用画像データが記憶された記憶装置の記憶位置情報の要求を受け付ける記憶位置要求受付手段と、
前記記憶位置情報の要求が受け付けられると、前記検査管理データを参照し、前記所要の特定情報に関する医用画像データの多重記憶処理が完了しているか否かを判断する判断手段と、
前記判断手段によって前記所要の特定情報に関する医用画像データの多重記憶処理が完了していると判断される場合、前記スレーブ記憶装置の位置情報を前記記憶位置情報として決定する記憶位置決定手段と、
前記決定された記憶位置情報を前記外部装置に供給する記憶位置供給手段と、
を有する医用画像保管装置。
【請求項２】
前記記憶装置は、前記特定情報と、前記マスタ記憶装置及びスレーブ記憶装置の位置情報が組み合わされてなるグループ情報とを対応付ける医用画像管理データを記憶し、
前記記憶位置決定手段は、前記判断手段によって前記所要の特定情報に関する医用画像データの多重記憶処理が完了していると判断される場合、前記医用画像管理データを参照して、前記所要の特定情報に対応するグループ情報を取得し、前記取得されたグループ情報に含まれるスレーブ記憶装置の位置情報を前記記憶位置情報として決定する請求項１に記載の医用画像保管装置。
【請求項３】
前記記憶装置は、前記特定情報と、前記マスタ記憶装置及びスレーブ記憶装置の位置情報とを対応付ける医用画像管理データを記憶し、
前記記憶位置決定手段は、前記判断手段によって前記所要の特定情報に関する医用画像データの多重記憶処理が完了していると判断される場合、前記医用画像管理データを参照して、前記所要の特定情報に対応する位置情報を取得し、前記取得された位置情報を前記記憶位置情報として決定する請求項１に記載の医用画像保管装置。
【請求項４】
前記記憶位置決定手段は、前記判断手段によって前記所要の特定情報に関する医用画像データの多重記憶処理が完了していないと判断される場合、前記マスタ記憶装置の位置情報を前記記憶位置情報として決定する請求項１乃至３のうちいずれか一項に記載の医用画像保管装置。
【請求項５】
前記記憶装置は、前記特定情報と、前記マスタ記憶装置及びスレーブ記憶装置の位置情報が組み合わされてなるグループ情報とを対応付ける医用画像管理データを記憶し、
前記記憶位置決定手段は、前記判断手段によって前記所要の特定情報に関する医用画像データの多重記憶処理が完了していないと判断される場合、前記医用画像管理データを参照して、前記所要の特定情報に対応するグループ情報を取得し、前記取得されたグループ情報に含まれるマスタ記憶装置の位置情報を前記記憶位置情報として決定する請求項４に記載の医用画像保管装置。
【請求項６】
前記記憶装置は、前記マスタ記憶装置とスレーブ記憶装置との位置情報を対応付ける記憶装置管理データと、前記特定情報と前記マスタ記憶装置の位置情報とを対応付ける医用画像管理データとをそれぞれ記憶し、
前記記憶位置決定手段は、前記判断手段によって前記所要の特定情報に関する医用画像データの多重記憶処理が完了していると判断される場合、前記医用画像管理データを参照して、前記所要の特定情報に対応するマスタ記憶装置の位置情報を取得し、前記取得されたマスタ記憶装置の位置情報に対応付けられるスレーブ記憶装置の位置情報を前記記憶装置管理データから取得して前記記憶位置情報として決定する請求項１に記載の医用画像保管装置。
【請求項７】
前記記憶位置情報の要求が受け付けられると、システム設定を確認し、前記スレーブ記憶装置の位置情報を前記記憶位置情報として供給する設定になっているかどうかを判断するスレーブ参照判断手段をさらに有し、
前記記憶位置決定手段は、前記スレーブ記憶装置の位置情報を前記記憶位置情報として供給する設定になっていないと判断された場合、前記所要の特定情報に関する医用画像データの多重記憶処理が完了しているか否かに関わらず、前記マスタ記憶装置の位置情報を前記記憶位置情報として決定する請求項１乃至６のうちいずれか一項に記載の医用画像保管装置。
【請求項８】
前記特定情報を、前記医用画像データが所属する検査ＵＩＤ（ｕｎｉｑｕｅ  ｉｄｅｎｔｉｆｉｅｒ）又はシリーズＵＩＤとする請求項１乃至７のうちいずれか一項に記載の医用画像保管装置。
【請求項９】
前記記憶実行手段は、ネットワークを介して接続される前記マスタ記憶装置及び前記スレーブ記憶装置に対して前記多重記憶処理を実行する請求項１乃至８のうちいずれか一項に記載の医用画像保管装置。
【請求項１０】
前記マスタ記憶装置と前記スレーブ記憶装置とをさらに有する請求項１乃至８のうちいずれか一項に記載の医用画像保管装置。
【発明の詳細な説明】
【技術分野】
【０００１】
本発明の一態様としての本実施形態は、医用画像発生装置で発生された医用画像データを保管する医用画像保管装置に関する。
【背景技術】
【０００２】
医用画像発生装置、医用画像保管装置、医用画像記憶装置、読影レポートサーバ、医用画像参照装置、及び読影レポート作成支援装置によって構成される医用画像管理システムがある。医用画像保管装置において、医用画像発生装置によって発生された医用画像データをＤＩＣＯＭデータとして管理している。そして、多重化された医用画像記憶システム（複数の医用画像記憶装置）を含む大規模システムも利用されている。
【０００３】
なお、本発明に係る従来技術として、以下の特許文献１が挙げられる。
【先行技術文献】
【特許文献】
【０００４】
【特許文献１】特開２０１０−２７９５４１号公報
【発明の概要】
【発明が解決しようとする課題】
【０００５】
従来技術では、大規模システムにおいて、医用画像保管装置の医用画像記憶システムへの医用画像データの登録や、医用画像記憶システムに記憶された医用画像データの参照が頻繁に行なわれる。医用画像データのテンポラリ領域への保存や、テンポラリ領域から正式な領域への医用画像データの移動など複数のｗｒｉｔｅ処理や、医用画像参照装置からの画像参照時の医用画像データのｒｅａｄ処理等のように、医用画像記憶システムのマスタ記憶装置のみにアクセスが集中すると、医用画像記憶システムへの医用画像データの登録や、医用画像記憶システムに記憶された医用画像データの参照が遅くなってしまう。
【課題を解決するための手段】
【０００６】
本実施形態の医用画像保管装置は、上述した課題を解決するために、マスタ記憶装置及びスレーブ記憶装置に対して医用画像データの多重記憶処理を実行する記憶実行手段と、前記医用画像データの特定情報と、前記スレーブ記憶装置への前記多重記憶処理が完了したか否かを示す多重記憶完了情報とを対応付ける検査管理データを記憶する記憶装置と、外部装置から、所要の特定情報に関する医用画像データが記憶された記憶装置の記憶位置情報の要求を受け付ける記憶位置要求受付手段と、前記記憶位置情報の要求が受け付けられると、前記検査管理データを参照し、前記所要の特定情報に関する医用画像データの多重記憶処理が完了しているか否かを判断する判断手段と、前記判断手段によって前記所要の特定情報に関する医用画像データの多重記憶処理が完了していると判断される場合、前記スレーブ記憶装置の位置情報を前記記憶位置情報として決定する記憶位置決定手段と、前記決定された記憶位置情報を前記外部装置に供給する記憶位置供給手段と、を有する。
【図面の簡単な説明】
【０００７】
【図１】本実施形態の医用画像保管装置を備える医用画像管理システムの構成を示す概略図。
【図２】本実施形態の医用画像保管装置の構成を示す図。
【図３】記憶装置管理データの一例を示す図。
【図４】医用画像管理データの第１例を示す図。
【図５】医用画像管理データの第２例を示す図。
【図６】検査管理データの第１例を示す図。
【図７】本実施形態の医用画像保管装置の機能を示すブロック図。
【図８】検査管理データの第２例を示す図。
【図９】本実施形態の医用画像保管装置の第１の動作を示すフローチャート。
【図１０】本実施形態の医用画像保管装置の第２の動作を示すフローチャート。
【図１１】本実施形態の医用画像保管装置の第３の動作を示すフローチャート。
【発明を実施するための形態】
【０００８】
本実施形態の医用画像保管装置について、添付図面を参照して説明する。
【０００９】
図１は、本実施形態の医用画像保管装置を備える医用画像管理システムの構成を示す概略図である。
【００１０】
図１は、医用画像管理システム１を示す。医用画像管理システム１は、医療機関（病院）１０に設置される。病院１０は、医用画像発生装置（モダリティ）１１、本実施形態の医用画像保管装置（医用画像サーバ）１２、医用画像記憶システム１３、読影レポートサーバ１４、観察用の医用画像参照装置（ビューア）１５、読影用のビューア１６、及び読影レポート作成支援装置１７を備える。各装置は、基幹のＬＡＮ（ｌｏｃａｌ  ａｒｅａ  ｎｅｔｗｏｒｋ）等のネットワークＮを介して相互に通信可能である。なお、装置１１乃至１７の一部又は全部は、病院１０に複数備えられてもよい。
【００１１】
モダリティ１１は、被検体としての患者の検査部位を撮影し、医用データとしての検査部位の医用画像データを生成する。生成された医用画像データは、ＤＩＣＯＭ（ｄｉｇｉｔａｌ  ｉｍａｇｉｎｇ  ａｎｄ  ｃｏｍｍｕｎｉｃａｔｉｏｎｓ  ｉｎ  ｍｅｄｉｃｉｎｅ）データとして医用画像サーバ１２に送信される。モダリティ１１としては、内視鏡検査装置、Ｘ線装置、Ｘ線ＣＴ（ｃｏｍｐｕｔｅｄ  ｔｏｍｏｇｒａｐｈｙ）装置、ＭＲＩ（ｍａｇｎｅｔｉｃ  ｒｅｓｏｎａｎｃｅ  ｉｍａｇｉｎｇ）装置、超音波診断装置、及び核医学診断装置等が挙げられる。
【００１２】
医用画像サーバ１２は、モダリティ１１によって収集された医用画像データを医用画像記憶システム１３に記憶させて保管する。医用画像サーバ１２は、ビューア１５，１６の要求に応じて医用画像記憶システム１３を検索し、ビューア１５，１６に医用画像データを提供する。医用画像サーバ１２の構成については、図２を用いて後述する。
【００１３】
なお、医用画像サーバ１２は、医用画像データに対する経時差分、統合（ｆｕｓｉｏｎ）、断面変換（ＭＰＲ）、３Ｄ表示変換、及び付帯情報管理等の機能を有している。また、医用画像サーバ１２は、医用画像データを医用画像記憶システム１３に記憶させる場合、その医用画像データに付帯する付帯情報を読影レポートサーバ１４に送信する。この付帯情報は受付番号、患者情報、及び検査情報等を含む。ここで、患者情報としては、例えば、患者ＩＤ（ｉｄｅｎｔｉｆｉｃａｔｉｏｎ）及び患者名等が挙げられる。また、検査情報としては、例えば、ＣＴやＭＲ等の検査種別情報、及び被検体の検査部位情報等が挙げられる。
【００１４】
医用画像記憶システム１３は、第１Ｇ（グループ）の記憶装置セット１３１及び第２Ｇの記憶装置セット１３２を備える。第１Ｇの記憶装置セット１３１は、マスタ（プライマリ）記憶装置１３１ｍ及びスレーブ（スタンバイ）記憶装置１３１ｓを備える。同様に、第２Ｇの記憶装置セット１３２は、マスタ記憶装置１３２ｍ及びスレーブ記憶装置１３２ｓを備える。
【００１５】
なお、以下に、グループ数が２（１３１，１３２）の場合について説明するが、グループ数は、１であっても、３以上であっても構わない。また、以下に、各グループのスレーブ記憶装置の数が１（１３１ｓ，１３２ｓ）である場合を説明するが、スレーブ記憶装置の数は、複数であってもよい。グループ数が２の場合で、かつ、各グループのスレーブ記憶装置の数が１である場合、医用画像記憶システム１３は、図１に示すように４個の記憶装置１３１ｍ，１３１ｓ，１３２ｍ，１３２ｓ（ＮＡＳ識別情報：ＮＡＳ＃１〜ＮＡＳ＃４）を備えることになる。
【００１６】
医用画像記憶システム１３は、医用画像サーバ１２による制御の下、医用画像データを適宜記憶（登録）させたり、参照させたりする。ネットワークＮに直接接続された医用画像記憶システム１３は、ＮＡＳ（ｎｅｔｗｏｒｋ  ａｔｔａｃｈｅｄ  ｓｔｏｒａｇｅ）であり、医用画像データを記憶するファイルサーバである。なお、医用画像記憶システム１３は、ネットワークＮに直接接続されたＮＡＳである場合に限られず、医用画像サーバ１２内に備えられるものであってもよい。
【００１７】
ここで、医用画像記憶システム１３は、医用画像データを、ある１グループの記憶装置セットを形成するマスタ記憶装置及びスレーブ記憶装置に多重記憶処理する。多重記憶処理するタイミングとして、同期方式及び非同期方式の２通りが存在する。同期方式では、医用画像データが、マスタ記憶装置に記憶されると同時に、対応するスレーブ記憶装置にも記憶される。一方で、非同期方式では、医用画像データは、まずはマスタ記憶装置のみに記憶され、そのマスタ記憶装置への医用画像データの記憶の際、ログが出力される。このログに基づいて順次、検査管理データ（図６に図示）が更新され、検査管理データに基づいて、対応するスレーブ記憶装置に医用画像データが記憶される。以下、非同期方式が採用される場合を説明するが、医用画像管理システム１は、その場合に限定されるものではない。
【００１８】
読影レポートサーバ１４は、医用画像サーバ１２から付帯情報を受け取り、その付帯情報を含む入力前の読影レポート（症例入力欄や所見入力欄等が空白状態である読影レポート）を受付番号に関連付けて保存し、さらに、読影レポート作成支援装置１７の要求に応じて読影レポート作成支援装置１７に入力前の読影レポートを提供する。また、読影レポートサーバ１４は、読影医により作成された入力済の読影レポートを適宜記憶させ、さらに、観察用のビューア１５の要求に応じて読影レポートを提供する。
【００１９】
観察用のビューア１５は、医用画像サーバ１２が保管する医用画像データや読影レポートサーバ１４が保管する入力済の読影レポートを表示する装置である。観察用のビューア１５は、例えば病院内の診察室に設置されており、患者の担当医等に医用画像データや読影レポートを提供する。観察用のビューア１５により、担当医は医用画像データ及び読影レポートを閲覧することができる。
【００２０】
読影用のビューア１６は、医用画像サーバ１２が保管する医用画像データや読影レポートサーバ１４が保管する入力前の読影レポートを表示する装置である。読影用のビューア１６は、例えば病院内の読影室に設置されており、読影レポートを作成する読影医等のレポート作成者に医用画像データを提供する。読影用のビューア１６により、レポート作成者は読影対象の医用画像データを閲覧することができる。
【００２１】
読影レポート作成支援装置１７は、読影レポートサーバ１４が保管する入力前（登録前）の読影レポートに対するレポート作成者の作成作業を支援する装置である。読影レポート作成支援装置１７は、例えば病院内の読影室に読影用のビューア１６と並べて設置されており、レポート作成者が読影レポートを作成する場合の作成作業を支援する。なお、レポート作成者は、読影用のビューア１６に表示された医用画像データを閲覧しながら、読影レポート作成支援装置１７を用いてその読影対象である医用画像データに対する読影レポートを作成する。
【００２２】
図２は、本実施形態の医用画像サーバ１２の構成を示す図である。
【００２３】
図２に示すように、医用画像サーバ１２は、制御部４１、記憶部４２、入力部４３、表示部４４、通信部４５、記憶装置管理データベース（ＤＢ）４６、医用画像管理ＤＢ４７、及び検査管理ＤＢ４８を備える。各部４１乃至４８はバスＢを介して電気的に接続されている。
【００２４】
制御部４１は、各部を制御するマイクロプロセッサ等によって構成される。制御部４１は、記憶部４２に記憶された各種のプログラムやデータ等に基づいて各部を制御し、特に、それらのプログラムやデータ等に基づき、入力部４３に対する操作者の入力操作に応じて各部を制御する。また、制御部４１は、各種のプログラムに基づいて、各種データの計算又は加工等を行なう一連のデータ処理、及び読影レポートを表示する画像表示処理等を実行する。
【００２５】
記憶部４２は、各種のプログラムやデータを記憶するＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、又はフラッシュメモリ等を含む。記憶部４２は、制御部４１が実行する起動プログラム等の各種のプログラムを記憶するメモリであって、さらに、制御部４１のワークエリアとしても機能するメモリである。なお、起動プログラムは、医用画像サーバ１２の起動時に制御部４１により読み出されて実行される。
【００２６】
入力部４３は、マウスやキーボード等の入力デバイスによって構成される。入力部４３は、操作者により入力操作される操作部である。
【００２７】
表示部４４は、液晶ディスプレイやＣＲＴ（ｃａｔｈｏｄｅ  ｒａｙ  ｔｕｂｅ）ディスプレイ等によって構成される。
【００２８】
通信部４５は、ネットワークＮを介して外部装置との通信を行なう通信インターフェースである。
【００２９】
記憶装置管理ＤＢ４６は、医用画像記憶システム１３（図１に図示）に設けられるマスタ記憶装置１３１ｍ，１３２ｍとスレーブ記憶装置１３１ｓ，１３２ｓとの位置情報を対応づけた（グループ化した）記憶装置管理データ（テーブル）を記憶する。
【００３０】
図３は、記憶装置管理データの一例を示す図である。
【００３１】
図３は、グループ数が２の場合で、かつ、各グループのスレーブ記憶装置の数が１である場合における、記憶装置管理データを示す。図３に示すように、第１Ｇとして、４個の記憶装置のうち位置情報（ＮＡＳ識別情報）が「ＮＡＳ＃１」のマスタ記憶装置１３１ｍ（図１に図示）と、位置情報（ＮＡＳ識別情報）が「ＮＡＳ＃２」のスレーブ記憶装置１３１ｓ（図１に図示）とが組み合わせられる。第２Ｇとして、４個の記憶装置のうち位置情報（ＮＡＳ識別情報）が「ＮＡＳ＃３」のマスタ記憶装置１３２ｍ（図１に図示）と、位置情報（ＮＡＳ識別情報）が「ＮＡＳ＃４」のスレーブ記憶装置１３２ｓ（図１に図示）とが組み合わせられる。ここで、ＮＡＳ識別情報としては、ＩＰ（ｉｎｔｅｒｎｅｔ  ｐｒｏｔｏｃｏｌ）アドレスや、ホスト名や、ＦＱＤＮ（ｆｕｌｌｙ  ｑｕａｌｉｆｉｅｄ  ｄｏｍａｉｎ  ｎａｍｅ）名等が挙げられる。
【００３２】
図２の説明に戻って、医用画像管理ＤＢ４７は、医用画像管理データ（テーブル）を記憶する。医用画像管理ＤＢ４７は、医用画像記憶システム１３に記憶される医用画像データを特定する情報である医用画像特定情報と、医用画像データの記憶グループを示すグループ情報（図４に図示）、又は、医用画像データの記憶位置を示す位置情報（マスタのＮＡＳ識別情報）（図５に図示）とを対応付けて記憶し、またＳＱＬ（ｓｔｒｕｃｔｕｒｅｄ  ｑｕｅｒｙ  ｌａｎｇｕａｇｅ）等のリレーショナルデータベース操作言語に対応したデータベース管理システムとしての機能を備える。
【００３３】
図４は、医用画像管理データの第１例を示す図である。
【００３４】
図４に示すように、医用画像管理データは、医用画像特定情報として、画像ＵＩＤ（ｕｎｉｑｕｅ  ｉｄｅｎｔｉｆｉｅｒ）と、その画像ＵＩＤが所属するシリーズＵＩＤと、そのシリーズＵＩＤが所属する検査ＵＩＤとを有する。また、医用画像管理データは、医用画像特定情報の種類毎に、記憶装置管理データ（図３に図示）によって設定されたグループ情報（第１Ｇ又は第２Ｇ）が割り当てられる。なお、以下、医用画像特定情報としての検査ＵＩＤ毎にグループ情報が割り当てられる場合を説明するが、画像ＵＩＤやシリーズＵＩＤ毎にグループが割り当てられる場合であってもよい。
【００３５】
なお、医用画像管理データは、医用画像特定情報の種類毎に、グループ情報の代わりに、記憶装置管理データ（図３に図示）によって設定されたＮＡＳ識別情報のペア（ＮＡＳ＃１＋＃２、又は、ＮＡＳ＃３＋＃４）が割り当てられてもよい。
【００３６】
図５は、医用画像管理データの第２例を示す図である。
【００３７】
図５に示すように、医用画像管理データは、医用画像特定情報として、画像ＵＩＤと、その画像ＵＩＤが所属するシリーズＵＩＤと、そのシリーズＵＩＤが所属する検査ＵＩＤとを有する。また、医用画像管理データは、医用画像特定情報の種類毎に、記憶装置管理データ（図３に図示）によって設定されたマスタ（マスタ記憶装置１３１ｍ又は１３２ｍ）のＮＡＳ識別情報が位置情報として割り当てられる。なお、以下、医用画像特定情報としての検査ＵＩＤ毎にマスタのＮＡＳ識別情報が位置情報として割り当てられる場合を説明するが、画像ＵＩＤやシリーズＵＩＤ毎にマスタのＮＡＳ識別情報が位置情報として割り当てられる場合であってもよい。
【００３８】
図２の説明に戻って、検査管理ＤＢ４８は、検査ＵＩＤと、その検査ＵＩＤに関する医用画像データの多重記憶処理が完了しているか否かを示す多重記憶完了情報とを検査管理データ（テーブル）として記憶する機能を備える。
【００３９】
図６は、検査管理データの第１例を示す図である。
【００４０】
図６に示すように、検査管理データは、医用画像管理データ（図４及び図５に図示）によって設定された検査ＵＩＤと、多重記憶完了情報（フラグ）とが対応付けられてなる。また、検査管理データは、検査ＵＩＤに対応する検査日付、多重記憶受付番号、及び患者ＩＤを含んでもよい。多重記憶処理するタイミングとして、非同期方式を採用する場合、医用画像データがマスタ記憶装置に記憶されたタイミングではスレーブ記憶装置には記憶されない。よって、医用画像データがマスタ記憶装置に記憶されたタイミングでは、図６に示すように、多重記憶処理が未完了としてフラグが落とされている（０）。
【００４１】
図７は、本実施形態の医用画像サーバ１２の機能を示すブロック図である。
【００４２】
図２に示す制御部４１がプログラムを実行することによって、図７に示すように、医用画像サーバ１２は、医用画像管理データ登録手段５１、検査管理データ登録手段５２、記憶処理実行手段５３、多重記憶処理実行手段５４、記憶位置要求受付手段５５、スレーブ参照判断手段５６、多重記憶処理判断手段５７、記憶位置決定手段５８、及び記憶位置供給手段５９として機能する。なお、手段５１〜５９がソフトウェアとして機能する場合を説明するが、手段５１〜５９の一部又は全部は、医用画像サーバ１２にハードウェアとして備えられるものであってもよい。
【００４３】
医用画像管理データ登録手段５１は、医用画像管理ＤＢ４７に記憶された医用画像管理データ（図４に図示）に、医用画像管理データ要素を追加登録する機能を有する。医用画像管理データとして図４に示すものを用いる場合、医用画像管理データ登録手段５１は、医用画像管理ＤＢ４７に記憶された医用画像管理データ（図４に図示）に、医用画像特定情報としての検査ＵＩＤと、記憶装置管理ＤＢ４６に記憶された記憶装置管理データ（図３に図示）によって設定されたグループ情報のいずれかと、を含む医用画像管理データ要素を追加登録する。
【００４４】
一方で、医用画像管理データとして図５に示すものを用いる場合、医用画像管理データ登録手段５１は、医用画像管理ＤＢ４７に記憶された医用画像管理データ（図５に図示）に、医用画像特定情報としての検査ＵＩＤと、記憶装置管理ＤＢ４６に記憶された記憶装置管理データ（図３に図示）によって設定されたマスタの位置情報のいずれかと、を含む医用画像管理データ要素を追加登録する機能を有する。
【００４５】
検査管理データ登録手段５２は、医用画像管理データ要素が追加登録されると、検査管理ＤＢ４８に記憶された検査管理データ（図６に図示）に、追加登録された検査ＵＩＤと、その検査ＵＩＤに対応する多重記憶完了情報（多重記憶処理が未完了を示す「０」）と、を含む検査管理データ要素を追加登録する機能を有する。
【００４６】
記憶処理実行手段５３は、検査管理データ登録手段５２によって医用画像管理データ要素が追加登録されると、追加登録された医用画像管理データ要素の検査ＵＩＤに関する医用画像データをマスタに記憶させる機能を有する。医用画像管理データとして図４に示すものを用いる場合、記憶処理実行手段５３は、医用画像管理データ要素が追加登録されると、医用画像管理ＤＢ４７に記憶された医用画像管理データ（図４に図示）を参照して、追加登録された医用画像管理データ要素の検査ＵＩＤに対応するグループ情報（第１Ｇ又は第２Ｇ）を取得する。そして、記憶処理実行手段５３は、取得されたグループ情報を記憶装置管理データ（図３に図示）に参照して当該グループ情報に対応するマスタ（マスタ記憶装置１３１ｍ又は１３２ｍ）の位置情報を取得し、取得された位置情報のマスタに、追加登録された検査ＵＩＤに関する医用画像データを記憶させる。
【００４７】
一方で、医用画像管理データとして図５に示すものを用いる場合、記憶処理実行手段５３は、医用画像管理データ要素が追加登録されると、医用画像管理ＤＢ４７に記憶された医用画像管理データ（図５に図示）を参照して、追加登録された医用画像管理データ要素の検査ＵＩＤに対応するマスタ（マスタ記憶装置１３１ｍ又は１３２ｍ）の位置情報を取得する。そして、記憶処理実行手段５３は、取得された位置情報のマスタに、追加登録された検査ＵＩＤに関する医用画像データを記憶させる。
【００４８】
多重記憶処理実行手段５４は、多重記憶処理が未完了の検査ＵＩＤに関する医用画像データの多重記憶処理を実行する機能を有する。そして、多重記憶処理実行手段５４は、検査管理ＤＢ４８に記憶された検査管理データ（図６に図示）に対して、多重記憶処理が完了した検査ＵＩＤについてフラグを立てる（フラグ「１」）機能を有する。医用画像管理データとして図４に示すものを用いる場合、多重記憶処理実行手段５４は、検査管理データ（図６に図示）を参照し、多重記憶処理が未完了（フラグ「０」）の検査ＵＩＤに対応するグループ情報（第１Ｇ又は第２Ｇ）を医用画像管理データ（図４に図示）から取得する。そして、多重記憶処理実行手段５４は、取得されたグループ情報を記憶装置管理データ（図３に図示）に参照して当該グループ情報に対応するスレーブ（スレーブ記憶装置１３１ｓ又は１３２ｓ）の位置情報を取得し、取得された位置情報のスレーブに、同一グループのマスタ（マスタ記憶装置１３１ｍ又は１３２ｍ）に記憶された医用画像データを、通信部４５を介して記憶させる。
【００４９】
一方で、医用画像管理データとして図５に示すものを用いる場合、多重記憶処理実行手段５４は、検査管理データ（図６に図示）を参照し、多重記憶処理が未完了（フラグ「０」）の検査ＵＩＤに対応するマスタ（マスタ記憶装置１３１ｍ又は１３２ｍ）の位置情報を医用画像管理データ（図５に図示）から取得する。そして、多重記憶処理実行手段５４は、取得されたマスタの位置情報を記憶装置管理データ（図３に図示）に参照して同一グループのスレーブ（スレーブ記憶装置１３１ｓ又は１３２ｓ）の位置情報を取得し、取得された位置情報のスレーブに、同一グループのマスタに記憶された医用画像データを、通信部４５を介して記憶させる。
【００５０】
ここで、多重記憶処理実行手段５４は、検査管理データ（図６に図示）の中の検査日付又は多重記憶受付番号の若いものから順に多重記憶処理を実行する。又は、多重記憶処理実行手段５４は、検査管理データ（図６に図示）の中のある患者ＩＤに関する検査ＵＩＤについて多重記憶処理が完了（フラグ「１」）している場合、同一患者ＩＤの他の検査ＵＩＤについて多重記憶処理が未完了（フラグ「０」）であればその多重記憶処理を優先して実行する。又は、後述する記憶位置要求受付手段５５によって記憶位置情報の要求のあった所要の検査ＵＩＤについて多重記憶処理が未完了（フラグ「０」）であればその多重記憶処理を優先して実行する。
【００５１】
図８は、検査管理データの第２例を示す図である。
【００５２】
図８に示す検査管理データは、図６と同様に、検査ＵＩＤと、その検査ＵＩＤに対応する検査日付、多重記憶受付番号、患者ＩＤ、及び多重記憶完了情報とを含む。そして、図６に示す上段の検査ＵＩＤについて多重記憶処理が行なわれて多重記憶処理が完了されると、図８に示すように、上段の検査ＵＩＤについてフラグが立てられる（１）。
【００５３】
図７の説明に戻って、記憶位置要求受付手段５５は、通信部４５を介してビューア１５，１６から所要の医用画像特定情報としての検査ＵＩＤ（１の検査ＵＩＤ又は複数の検査ＵＩＤ）に関する医用画像データの表示要求、すなわち、所要の検査ＵＩＤに関する医用画像データの記憶位置を示す記憶位置情報（パス）の要求を受け付ける機能を有する。
【００５４】
スレーブ参照判断手段５６は、記憶位置要求受付手段５５によって記憶位置情報の要求が受け付けられると、スレーブ（スレーブ記憶装置１３１ｓ，１３２ｓ）を参照する設定になっているか否かを判断する。スレーブ参照判断手段５６は、記憶位置要求受付手段５５によって記憶位置情報の要求が受け付けられるとシステム設定を確認し、スレーブの記憶位置情報を供給する設定になっているかどうかを判断する。
【００５５】
多重記憶処理判断手段５７は、スレーブ参照判断手段５６によってスレーブを参照する設定になっていると判断される場合、検査管理ＤＢ４８に記憶された検査管理データ（図８に図示）を参照し、所要の検査ＵＩＤに関する医用画像データの多重記憶処理が完了しているか否かを判断する機能を有する。多重記憶処理判断手段５７は、図８に示す検査管理データの多重記憶完了情報に基づいて、当該検査ＵＩＤに関する医用画像データについて多重記憶処理が完了しているかどうか判断する。
【００５６】
ここで、記憶位置要求受付手段５５によって、医用画像特定情報としての検査ＵＩＤ単位で医用画像データの表示要求が受け付けられる場合について説明するが、その場合に限定されるものではない。例えば、記憶位置要求受付手段５５によって、シリーズ単位で医用画像データの表示要求が受け付けられる場合であってもよい。その場合、検査ＵＩＤ単位の検査管理データ（図６及び図８に図示）の代わりに、シリーズＵＩＤ単位の検査管理データ（図示しない）を作成し、多重記憶処理判断手段５７は、シリーズＵＩＤ単位の検査管理データに基づいて、シリーズＵＩＤに関する医用画像データの多重記憶処理が完了しているか否かを判断する。
【００５７】
記憶位置決定手段５８は、多重記憶処理判断手段５７によって所要の検査ＵＩＤに関する医用画像データの多重記憶処理が完了していると判断される場合、スレーブの位置情報を、要求された記憶位置情報として決定する機能を有する。医用画像管理データとして図４に示すものを用いる場合の記憶位置決定手段５８は、多重記憶処理判断手段５７によって所要の検査ＵＩＤに関する医用画像データの多重記憶処理が完了していると判断される場合、医用画像管理データ（図４に図示）を参照して、所要の検査ＵＩＤに対応するグループ情報（第１Ｇ又は第２Ｇ）を取得する。そして、記憶位置決定手段５８は、取得されたグループ情報を記憶装置管理データ（図３に図示）に参照して当該グループ情報に対応するスレーブ（スレーブ記憶装置１３１ｓ又は１３２ｓ）の位置情報を取得し、それを要求された記憶位置情報として決定する。
【００５８】
一方で、医用画像管理データとして図５に示すものを用いる場合の記憶位置決定手段５８は、多重記憶処理判断手段５７によって所要の検査ＵＩＤに関する医用画像データの多重記憶処理が完了していると判断される場合、医用画像管理データ（図５に図示）を参照して、所要の検査ＵＩＤに対応するマスタ（マスタ記憶装置１３１ｍ又は１３２ｍ）の位置情報を取得する。そして、記憶位置決定手段５８は、取得されたマスタの位置情報を記憶装置管理データ（図３に図示）に参照して同一グループのスレーブ（スレーブ記憶装置１３１ｓ又は１３２ｓ）の位置情報を取得し、それを要求された記憶位置情報として決定する。
【００５９】
また、記憶位置決定手段５８は、スレーブ参照判断手段５６によってスレーブ（スレーブ記憶装置１３１ｓ，１３２ｓ）を参照する設定になっていないと判断される場合、又は、多重記憶処理判断手段５７によって所要の検査ＵＩＤに関する医用画像データの多重記憶処理が完了していないと判断される場合、マスタの位置情報を、要求された記憶位置情報として決定する機能を有する。記憶位置決定手段５８は、医用画像管理データとして図４に示すものを用いる場合、医用画像管理データ（図４に図示）を参照して、所要の検査ＵＩＤに対応するグループ（第１Ｇ又は第２Ｇ）を取得する。そして、記憶位置決定手段５８は、取得されたグループを記憶装置管理データ（図３に図示）に参照して当該グループに対応するマスタ（マスタ記憶装置１３１ｍ又は１３２ｍ）の位置情報を取得し、それを要求された記憶位置情報として決定する。又は、記憶位置決定手段５８は、医用画像管理データとして図４に示すものを用いる場合、所要の検査ＵＩＤに対応するグループ（第１Ｇ又は第２Ｇ）の代わりに、所要の検査ＵＩＤに対応するＮＡＳ識別情報のペアを取得する。
【００６０】
一方で、医用画像管理データとして図５に示すものを用いる場合、記憶位置決定手段５８は、医用画像管理データ（図５に図示）を参照して、所要の検査ＵＩＤに対応するマスタ（マスタ記憶装置１３１ｍ又は１３２ｍ）の位置情報を取得する。そして、記憶位置決定手段５８は、取得されたマスタの位置情報を、要求された記憶位置情報として決定する。
【００６１】
ここで、記憶位置決定手段５８は、多重記憶処理判断手段５７によって所要の検査ＵＩＤに関する医用画像データの多重記憶処理が完了していると判断される場合、全ての医用画像データの記憶位置情報をスレーブの位置情報と決定すればよい。又は、記憶位置決定手段５８は、多重記憶処理判断手段５７によって所要の検査ＵＩＤに関する医用画像データの多重記憶処理が完了していると判断される場合、予め設定された割合（例えば、５０％のデータ数）の医用画像データの記憶位置情報をスレーブの位置情報と決定し、残りの医用画像データの記憶位置情報をマスタ（マスタ記憶装置１３１ｍ又は１３２ｍ）の位置情報と決定すればよい。予め設定された割合が５０％の場合、記憶位置決定手段５８は、検査ＵＩＤを構成する前半シリーズの医用画像データの記憶位置情報をスレーブの位置情報と決定し、後半シリーズの医用画像データの記憶位置情報をマスタの位置情報と決定したり、検査ＵＩＤを構成する１シリーズの前半の医用画像データの記憶位置情報をスレーブの位置情報と決定し、後半の医用画像データの記憶位置情報をマスタの位置情報と決定したりする。このような構成とすることで、スレーブにアクセスが集中することを抑えることもできる。
【００６２】
また、記憶位置決定手段５８は、多重記憶処理判断手段５７によって所要の検査ＵＩＤに関する医用画像データの多重記憶処理が完了していると判断され、異なるビューア１５，１６から同時期に同一検査ＵＩＤに関する医用画像データの記憶位置情報の要求があった場合、ビューア１５から要求された記憶位置情報をマスタの位置情報と決定し、ビューア１６から要求された記憶位置情報をスレーブの位置情報と決定することもできる。このような構成とすることで、スレーブにアクセスが集中することを抑えることもできる。
【００６３】
さらに、記憶位置決定手段５８は、多重記憶処理判断手段５７によって同一グループの第１及び第２の検査ＵＩＤに関する医用画像データの多重記憶処理が完了しているとそれぞれ判断された場合、第１の検査ＵＩＤに関する医用画像データの記憶位置情報をマスタの位置情報と決定し、第２の検査ＵＩＤに関する医用画像データの記憶位置情報をスレーブの位置情報と決定することもできる。このような構成とすることで、スレーブにアクセスが集中することを抑えることもできる。
【００６４】
記憶位置供給手段５９は、記憶位置決定手段５８によって決定された記憶位置情報（一覧）を、通信部４５を介してビューア１５，１６に供給する機能を有する。
【００６５】
ビューア１５，１６は、記憶位置供給手段５９によって供給された記憶位置情報（一覧）に基づいてマスタ記憶装置１３１ｍ，１３２ｍ又はスレーブ記憶装置１３１ｓ，１３２ｓから所要の検査ＵＩＤに関する医用画像データをダウンロードして表示する。
【００６６】
続いて、本実施形態の医用画像保管装置１２の動作について、図７、図９〜図１１を用いて説明する。
【００６７】
図９は、本実施形態の医用画像保管装置１２の第１の動作を示すフローチャートである。図９に示すフローチャートでは、医用画像管理データとして図４に示すものを用いる場合について説明する。
【００６８】
医用画像保管装置１２は、医用画像管理ＤＢ４７に記憶された医用画像管理データ（図４に図示）に、医用画像特定情報としての検査ＵＩＤと、記憶装置管理ＤＢ４６に記憶された記憶装置管理データ（図３に図示）によって設定されたグループ情報のいずれかと、を含む医用画像管理データ要素を追加登録する（ステップＳＴ１）。
【００６９】
医用画像保管装置１２は、ステップＳＴ１によって医用画像管理データ要素が追加登録されると、検査管理ＤＢ４８に記憶された検査管理データ（図６に図示）に、ステップＳＴ１によって追加登録された検査ＵＩＤと、その検査ＵＩＤに対応する多重記憶完了情報と、を含む検査管理データ要素を追加登録する（ステップＳＴ２）。
【００７０】
医用画像保管装置１２は、ステップＳＴ１によって医用画像管理データ要素が追加登録されると、医用画像管理ＤＢ４７に記憶された医用画像管理データ（図４に図示）を参照して、ステップＳＴ１によって追加登録された医用画像管理データ要素の検査ＵＩＤに対応するグループ情報を取得する。そして、医用画像保管装置１２は、取得されたグループ情報に対応するマスタ（マスタ記憶装置１３１ｍ又は１３２ｍ）に、追加登録された検査ＵＩＤに関する医用画像データを記憶させる（ステップＳＴ３）。
【００７１】
医用画像保管装置１２は、続けて医用画像管理データ要素の追加登録を行なうか否かを判断する（ステップＳＴ４）。ステップＳＴ４の判断にてＹＥＳ、すなわち、続けて医用画像管理データ要素の追加登録を行なうと判断される場合、医用画像保管装置１２は、ステップＳＴ１に戻る。
【００７２】
一方、ステップＳＴ４の判断にてＮＯ、すなわち、続けて医用画像管理データ要素の追加登録を行なわないと判断される場合、医用画像保管装置１２は、動作を終了する。
【００７３】
図１０は、本実施形態の医用画像保管装置１２の第２の動作を示すフローチャートである。図１０に示すフローチャートでは、医用画像管理データとして図４に示すものを用いる場合について説明する。
【００７４】
医用画像保管装置１２は、検査管理ＤＢ４８に記憶された検査管理データ（図６に図示）を参照し、多重記憶処理が未完了の検査ＵＩＤに関する医用画像データの多重記憶処理を実行する（ステップＳＴ１１）。ステップＳＴ１１において、医用画像保管装置１２は、検査管理データ（図６に図示）を参照し、多重記憶処理が未完了（多重記憶完了情報「０」）の検査ＵＩＤに対応するグループ情報を医用画像管理データ（図４に図示）から取得する。そして、医用画像保管装置１２は、取得されたグループ情報を記憶装置管理データ（図３に図示）に参照して当該グループ情報に対応するスレーブ（スレーブ記憶装置１３１ｓ又は１３２ｓ）の位置情報を取得し、取得された位置情報のスレーブに、同一グループのマスタ（マスタ記憶装置１３１ｍ又は１３２ｍ）に記憶された医用画像データを、通信部４５を介して記憶させる。
【００７５】
医用画像保管装置１２は、検査管理ＤＢ４８に記憶された検査管理データ（図６に図示）に対して、ステップＳＴ１１によって多重記憶処理が完了した検査ＵＩＤについてフラグを立てる（ステップＳＴ１２）。
【００７６】
医用画像保管装置１２は、続けて医用画像データの多重記憶処理を実行するか否かを判断する（ステップＳＴ１３）。ステップＳＴ１３の判断にてＹＥＳ、すなわち、続けて医用画像データの多重記憶処理を実行すると判断される場合、医用画像保管装置１２は、ステップＳＴ１１に戻る。
【００７７】
一方、ステップＳＴ１３の判断にてＮＯ、すなわち、続けて医用画像データの多重記憶処理を実行しないと判断される場合、医用画像保管装置１２は、動作を終了する。
【００７８】
図１１は、本実施形態の医用画像保管装置１２の第３の動作を示すフローチャートである。図１１に示すフローチャートでは、医用画像管理データとして図４に示すものを用いる場合について説明する。
【００７９】
医用画像保管装置１２は、通信部４５を介してビューア１５，１６から所要の医用画像特定情報としての検査ＵＩＤに関する医用画像データの表示要求、すなわち、所要の検査ＵＩＤに関する医用画像データの記憶位置を示す記憶位置情報（パス）の要求を受け付ける（ステップＳＴ２１）。医用画像保管装置１２は、ステップＳＴ２１によって記憶位置情報の要求が受け付けられると、スレーブ（スレーブ記憶装置１３１ｓ，１３２ｓ）を参照する設定になっているか否かを判断する（ステップＳＴ２２）。ステップＳＴ２２にてＹＥＳ、すなわち、スレーブを参照する設定になっていると判断される場合、医用画像保管装置１２は、検査管理ＤＢ４８に記憶された検査管理データ（図８に図示）を参照し、所要の検査ＵＩＤに関する医用画像データの多重記憶処理が完了しているか否かを判断する（ステップＳＴ２３）。
【００８０】
ステップＳＴ２３にてＹＥＳ、すなわち、所要の検査ＵＩＤに関する医用画像データの多重記憶処理が完了していると判断される場合、医用画像保管装置１２は、医用画像管理データ（図４に図示）を参照して、所要の検査ＵＩＤに対応するグループ情報を取得し、取得されたグループ情報を記憶装置管理データ（図３に図示）に参照して当該グループ情報に対応するスレーブ（スレーブ記憶装置１３１ｓ又は１３２ｓ）の位置情報を取得する（ステップＳＴ２４）。そして、医用画像保管装置１２は、ステップＳＴ２４によって取得されたスレーブ（スレーブ記憶装置１３１ｓ又は１３２ｓ）の位置情報を、要求された記憶位置情報として、その一覧を生成する（ステップＳＴ２５）。
【００８１】
また、ステップＳＴ２２の判断にてＮＯ、すなわち、スレーブを参照する設定になっていないと判断される場合と、ステップＳＴ２３の判断にてＮＯ、すなわち、所要の検査ＵＩＤに関する医用画像データの多重記憶処理が完了していないと判断される場合、医用画像保管装置１２は、医用画像管理データ（図４に図示）を参照して、所要の検査ＵＩＤに対応するグループ情報を取得し、取得されたグループ情報を記憶装置管理データ（図３に図示）に参照して当該グループ情報に対応するマスタ（マスタ記憶装置１３１ｍ又は１３２ｍ）の位置情報を取得する（ステップＳＴ２６）。そして、記憶位置決定手段５８は、ステップＳＴ２６によって取得されたマスタ（マスタ記憶装置１３１ｍ又は１３２ｍ）の位置情報を、要求された記憶位置情報として、その一覧を生成する（ステップＳＴ２７）。
【００８２】
医用画像保管装置１２は、ステップＳＴ２５又はＳＴ２７によって生成された記憶位置情報の一覧を、通信部４５を介してビューア１５，１６に供給する（ステップＳＴ２８）。
【００８３】
そして、ビューア１５，１６は、ステップＳＴ２８によって供給された記憶位置情報の一覧に基づいてマスタ記憶装置１３１ｍ，１３２ｍ又はスレーブ記憶装置１３１ｓ，１３２ｓから所要の検査ＵＩＤに関する医用画像データをダウンロードして表示する。
【００８４】
本実施形態の医用画像保管装置１２によると、医用画像データの表示要求がある場合に、当該医用画像データの記憶位置情報として、マスタ記憶装置１３１ｍ，１３２ｍの位置情報だけでなく、一定の条件の下でスレーブ記憶装置１３１ｓ，１３２ｓの記憶位置情報を供給できる。よって、本実施形態の医用画像保管装置１２によると、医用画像記憶システム１３への医用画像データの登録や、医用画像記憶システム１３に記憶された医用画像データの参照の速度が向上する。
【００８５】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行なうことができる。これらの実施形態やその変形は、発明の範囲や要旨に含まれるとともに、特許請求の範囲に記載された発明とその均等の範囲に含まれる。
【符号の説明】
【００８６】
１  医用画像管理システム
１０  病院（医療機関）
１１  医用画像発生装置（モダリティ）
１２  医用画像保管装置（医用画像サーバ）
１３  医用画像記憶システム
１３１ｍ，１３２ｍ  マスタ記憶装置
１３１ｓ，１３２ｓ  スレーブ記憶装置
４１  制御部
４５  通信部
４６  記憶装置管理ＤＢ
４７  医用画像管理ＤＢ
４８  検査管理ＤＢ
５１  医用画像管理データ登録手段
５２  検査管理データ登録手段
５３  記憶処理実行手段
５４  多重記憶処理実行手段
５５  記憶位置要求受付手段
５６  スレーブ参照判断手段
５７  多重記憶処理判断手段
５８  記憶位置決定手段
５９  記憶位置供給手段
【図１】
2014219882.tif 000003
【図２】
2014219882.tif 000004
【図３】
2014219882.tif 000005
【図４】
2014219882.tif 000006
【図５】
2014219882.tif 000007
【図６】
2014219882.tif 000008
【図７】
2014219882.tif 000009
【図８】
2014219882.tif 000010
【図９】
2014219882.tif 000011
【図１０】
2014219882.tif 000012
【図１１】
2014219882.tif 000013